(57)【要約】【課題】立ち上がり動作時に手摺から手が回転しようとする力を引っかかり部からの反力により小さくしつつ、ヒト側が発揮する把持力は大きくすることで、使用者の負担が少なく、かつ安全に動作が行える浴室用手摺を提供する。【解決手段】浴室の壁面に沿って水平方向に延設された把持部を備え、前記把持部は、前面と、上面と、背面と、底面と、第１角部と、第２角部と、第３角部と、第４角部とを有する断面視略四角形状で形成されており、底面は、背面側から前面側に向けて全体的に下降傾斜して形成されており、第１角部と第３角部における底面側端部とを結ぶ直線長さが、第１角部と底面における第３角部側端部とを結ぶ直線長さよりも大きく形成されている。【選択図】図４
2017099515.tif 000002
【特許請求の範囲】
【請求項１】
使用者の風呂椅子からの立ち座り動作をサポートする浴室用手摺であって、
浴室の壁面に沿って水平方向に延設された把持部を備え、
前記把持部は、前面と、上面と、背面と、底面と、前記前面と上面を繋ぐ第１角部と、前記上面と前記背面を繋ぐ第２角部と、前記背面と前記底面を繋ぐ第３角部と、前記底面と前記前面を繋ぐ第４角部とを有する断面視略四角形状で形成されており、
前記底面は、背面側から前面側に向けて全体的に下降傾斜して形成されており、
前記第１角部と前記第３角部における前記底面側端部とを結ぶ直線長さが、前記第１角部と前記底面における前記第３角部側端部とを結ぶ直線長さよりも大きく形成されている浴室用手摺。
【請求項２】
前記第１角部から前記第２角部を経由して前記第３角部までの周長さは、３０ｍｍ以上５０ｍｍ以下となるよう形成されている請求項１記載の浴室用手摺。
【請求項３】
前記第３角部は、曲面で形成されている請求項１または２記載の浴室用手摺。
【請求項４】
前記上面は、前記底面よりも水平状に形成されていることを特徴とする請求項１〜３の何れか１項に記載の浴室用手摺。
【請求項５】
前記前面は、前記上面側から前記底面側に向けて全体的に前方傾斜して形成されていることを特徴とする請求項１〜４の何れか１項に記載の浴室用手摺。
【請求項６】
前記第３角部は、前記第２角部よりも小さな曲率半径で形成されていることを特徴とする請求項１〜５の何れか１項に記載の浴室用手摺。
【請求項７】
前記第３角部は、前記第１角部よりも小さな曲率半径で形成されていることを特徴とする請求項１〜６の何れか１項に記載の浴室用手摺。
【発明の詳細な説明】
【技術分野】
【０００１】
本発明は、使用者の浴室における動作をサポートする浴室用手摺に関する。
【背景技術】
【０００２】
一般的に入浴時における浴室の洗い場床面は、水や洗剤が散布されることもあり、その場合、乾いた状態の床面よりも摩擦係数が低いため、足元が滑りやすい。
【０００３】
洗い場における立ち上がり動作の際に、足裏には、前後、上下に複雑な力が働くため、浴室のような足が滑りやすい状態での立ち上がり動作は不安定かつ筋力の負担が大きくなる。
【０００４】
また、入浴時には身体を保護する衣服を着用していないことや、周辺に剛性の高い浴槽や壁があることから、転倒した際の怪我のリスクが居住空間の日常動作の中でも特に高い。
【０００５】
さらに、浴室内は外から見えにくく、一人で入浴することが一般的であるため、怪我をした際に発見が遅くなる可能性が高い。
【０００６】
そのため、浴室には、立ち座り動作を安全、快適にすることを目的とした、浴室用手摺が設けられている場合が多い。
【０００７】
風呂椅子からの立ち上がり動作時に手摺を使用する際は、使用者は手摺を掴み、身体を引き寄せる向きに力を加え、その反力で身体を前傾させ、重心を両足の支持基底面内に移動する。続いて、手摺を下方に押し下げることによる反力と、両足が地面を蹴ることによる反力により身体を上昇させ立ち上がる。
【０００８】
浴室での立ち座り動作は、洗い場床が濡れている場合、床の摩擦係数が低下するため、足裏が不安定であるため、立ち上がり動作に必要な脚部が発揮する力が多く必要となる。また、手摺や手が濡れている場合、手摺の摩擦係数も同様に低下するため、手摺から手が滑らないために必要な力は大きくなる。さらに、使用者の正面に略水平に設置された手摺を把持した立ち上がり動作の際は、引く、押すといった手摺の軸に対する回転方向の力がかかり、手摺を把持した手首には関節可動域が大きな屈伸動作を伴う。そのため、手摺から指先が回転する方向にかかる力に対して、手摺から手が滑らなくするためには大きな力が必要となる。
【０００９】
使用者は、快適かつ安全に立ち上がり動作を行うためには、手摺から手を滑らないために必要な保持力以上の把持力を少ない筋力により生み出し続ける必要がある。
【００１０】
特許文献１には断面が丸型形状の手摺が記載されている。このような断面が丸型の手摺は、手摺に把持する力を加えた場合、手摺と手との接触面積が大きいため、局所的に力が集中せず、痛みを伴わない。しかし、手が回転する方向に指の引っかかり部分がないため、動作時には手摺から手が滑らないために必要な把持する力が大きくなる。
【００１１】
特許文献２の図4には断面が略四角形の手摺が記載されている。このような断面が略四角形の手摺把持動作は、手の中手骨周辺を手摺の第一角部（前面と上面とを繋ぐ角部）にあて、その後、指の第一関節を第三角部（背面と底面とを繋ぐ角部）に引っ掛ける。このとき、指の第一関節が第３角部に引っかかり、手が回転する方向とは逆方向の反力を手摺から受ける。そのため、手摺から手が滑らないために必要な力は前記特許文献１の丸型断面手摺よりも手摺の引っ掛かり部分から受ける反力の分少なくなる。しかし、丸型断面手摺より手摺と手との接触面積が少ないため、接触部分に力が集中し痛みを伴い、手摺を把持する力が発揮しづらい。
【先行技術文献】
【特許文献】
【００１２】
【特許文献１】特開２００９−１５５９１６号公報
【特許文献２】特開平９−２１７４７４号公報
【発明の概要】
【発明が解決しようとする課題】
【００１３】
動作中に手摺から手が滑らないためには、手摺に加える、引く、押すといった力を加えた際に、手摺から手が回転しようとする力を、手摺を把持し発生する摩擦力が超え続ける必要がある。
【００１４】
手摺を把持した際の手にかかる圧力分布を計測したところ、圧力は、手摺と手との接触面に均等にかかるのではなく、指先と、指先の手摺を挟んだ対向部にあたる中手骨周辺に大きくかかっていることがわかった。そこで、手摺から手が回転しないために必要な摩擦力を生み出すための手摺を把持する力は、指先と中手骨周辺による対向する力が支配的であるため、これを把持力と定義する。
【００１５】
ここで、手摺から手が滑らずに安全な動作のためには、手摺から手が回転しようとする力は小さく、かつ、ヒトが発揮する把持力は大きくなる手摺が、理想的である。
【００１６】
前記特許文献１の丸型断面手摺は、把持力は比較的大きいが、指先の引っかかり部が無いため、手が回転しようとする力が大きく必要となる。
【００１７】
一方、前記特許文献２の略四角形断面の手摺は、指先の引っ掛かり部から反力を受けるため、手摺から手が回転しようとする力は小さい。しかし、角部が曲面でなく、手摺と指先の接触面積が小さいため、把持した際に痛みを伴い把持力が小さくなる。さらに手摺底面が略水平であるため、前記角部１方向の対向する力が発生し難く、把持力が小さくなる。
【００１８】
そこで本発明者らは、指先と中手骨周辺との対向する力を大きくするために、底面を背面側から前面側に向けて全体的に下降傾斜して形成することで、指先に対向方向（第１角部方向）の力がかかりやすくし、把持力を大きくすることを可能とする。
【００１９】
しかしながら、底面を背面側から前面側に向けて全体的に下降傾斜して形成したことで新たな課題が発生した。具体的には、底面を下降傾斜させすぎると底面と第３角部との境界部の引っ掛かりが小さくなり、手摺から受ける反力が少なくなり、動作に必要な把持力が大きくなるという課題が再び発生する。
【００２０】
本発明は上述した課題を解決するために、立ち上がり動作時に手摺から手が回転しようとする力を引っかかり部からの反力により小さくしつつ、ヒト側が発揮する把持力は大きくすることで、使用者の負担が少なく、かつ安全に動作が行える浴室用手摺を提供することにある。
【課題を解決するための手段】
【００２１】
上記課題を解決するために、本発明に係る浴室用手摺は、使用者の風呂椅子からの立ち座り動作をサポートする浴室用手摺であって、浴室の壁面に沿って水平方向に延設された把持部を備え、前記把持部は、前面と、上面と、背面と、底面と、前記前面と上面を繋ぐ第１角部と、前記上面と前記背面を繋ぐ第２角部と、前記背面と前記底面を繋ぐ第３角部と、前記底面と前記前面を繋ぐ第４角部とを有する断面視略四角形状で形成されており、前記底面は、背面側から前面側に向けて全体的に下降傾斜して形成されており、前記第１角部と前記第３角部における前記底面側端部とを結ぶ直線長さが、前記第１角部と前記底面における前記第３角部側端部とを結ぶ直線長さよりも大きく形成されている。
【００２２】
本発明によれば、底面を背面側から前面側に向けて全体的に下降傾斜して形成することで、手摺と使用者の指先との接触する面積が大きくなり、さらに指先に対向する方向（第１角部方向）に力が向きやすくなるため、大きな把持力（指先と中手骨周辺による対向する力）を生み出すことを可能とした。また、第１角部と第３角部における底面側端部とを結ぶ直線長さが、第１角部と底面における第３角部側端部とを結ぶ直線長さよりも大きく形成することで、力の作用点である指先が底面と第３角部の境界部に引っかかり、手摺から手が滑らないようにするために最低限必要な保持力を少なくすることができる。この点について、詳述すると、本発明者らの検討の結果、手摺から手が滑る際は、第１角部との接触点である中手骨周辺を回転中心として指先が底面から第１角部を経由して背面の方向に向かって滑る。そのため、底面上の指先の力の作用点と第１角部との線分長が、第１角部と第３角部との線分長よりも小さいとき、第３角部に指先が引っ掛かり、手摺から手が滑りにくくすることができる。本発明によれば、第１角部と第３角部における底面側端部とを結ぶ直線長さが、第１角部と底面における第３角部側端部とを結ぶ直線長さよりも大きくなるよう底面を下降傾斜させることで、力の作用点である指先（底面における第３角部側端部）と第１角部との線分長が、第１角部と第３角部（第３角部における底面側端部）の線分長よりも短くできるため、引っ掛かり部を設けつつ、指先の力が作用する面が第１角部と対向する関係となり大きな把持力を付与することを可能にできる。
【００２３】
また、本発明の浴室用手摺は、前記第１角部から前記第２角部を経由して前記第３角部までの周長さは、３０ｍｍ以上５０ｍｍ以下となるよう形成されていることが好ましい。
【００２４】
日本人の２０歳から８０歳までの男女６７００人の人体寸法をまとめたデータベースを参考に、手摺を握る力が弱まり、かつ手の大きさが小さい６０歳以上の女性に関する、手摺を握った際の中手骨から第１関節までの長さを算出した。本結果によると、６０歳以上の女性の中手骨から第1関節までの長さは約５０ｍｍである。手摺から手が滑らないために第３角部に指先を引っ掛けるためには、前記第１角部から前記第２角部を経由して前記第３角部までの周長さよりも、中手骨から第１関節までの長さが長い必要がある。
【００２５】
本発明によれば、前記第１角部から前記第２角部を経由して前記第３角部までの周長さは、使用者の手の中手骨から第１関節までの長さから３０ｍｍ以上５０ｍｍ以下となるよう構成されており、確実に使用者は底面に指先をかけることができる。
【００２６】
また、本発明の浴室用手摺は、前記第３角部は、曲面で形成されていることが好ましい。
【００２７】
本発明によれば、力の作用点である指先が引っかかり部である前記第３角部に接触したときに、第３角部を曲面で形成したため、指と引っかかり部との接触面積が大きくなり荷重が分散されるため、指先の痛みが軽減され、把持力が発揮しやすくなる。
【００２８】
また、本発明の浴室用手摺は、前記上面は、前記底面よりも水平状に形成されていることが好ましい。
【００２９】
浴室用手摺は浴槽の跨ぎ動作時にも使用することができる。跨ぎ動作において使用者は手摺を鉛直下方向に手摺を押すことでその反力を手摺から受け体重を支えることで脚部の負担を減少する。本発明によれば、上面が略水平状に構成されており、鉛直下方向に加わる力が支えやすい構造になっているため、立ち上がり動作後の洗い場から浴槽への跨ぎ動作時において鉛直下方向に力を加えた場合でも、丸型断面手摺よりもより滑りにくい構造となっているため、大きな力を加え易く、脚部の負担が少なく快適・安全に動作が可能となる。
【００３０】
また、本発明の浴室用手摺は、前記前面は、前記上面側から前記底面側に向けて全体的に前方傾斜して形成されていることが好ましい。
【００３１】
本発明によれば、前面を前記上面側から前記底面側に向けて全体的に前方傾斜して形成したため、跨ぎ動作時に手摺を完全に握らずに、親指で傾斜面を鉛直下方向に押すような把持の仕方をした場合においても、滑らずに手摺を把持することが可能となり、体重を支えるための鉛直下方向荷重が増加し、その反力により立ち上がり動作の脚部の負担が軽減する。
【００３２】
また、本発明の浴室用手摺は、前記第３角部は、前記第２角部よりも小さな曲率半径で形成されていることが好ましい。
【００３３】
本発明によれば、第３角部を前記第２角部よりも小さな曲率半径で形成したため、第１角部と第３角部との線分長が長くなり、指先の引っ掛かりやすさが向上する。
【００３４】
また、本発明の浴室用手摺は、前記第３角部は、前記第１角部よりも小さな曲率半径で形成されていることが好ましい。
【００３５】
本発明によれば、第３角部を前記第１角部よりも小さな曲率半径で形成したため、第１角部と第３角部との線分長が長くなり、指先の引っ掛かりやすさが向上する。
【発明の効果】
【００３６】
本発明の形態によれば、立ち上がり動作の際に手摺にかかる引き寄せる力と押し下げる力が加わった際に、手摺から手が滑らないために必要な保持する力を軽減し、さらに、指先と、手摺を返して対向する手摺と手との接触点である中手骨周辺による手摺を挟む対向する力である把持力が大きくなり、日常生活の中でも特に負担がかかる入浴動作に関わらず、筋力が弱まった高齢者であっても動作を十分にサポートし続けることが出来る浴室用手摺が提供される。
【図面の簡単な説明】
【００３７】
【図１】本発明の実施の形態にかかる浴室用手摺が設置されている浴室を例示する平面模式図である。
【図２】本発明の実施の形態にかかる浴室用手摺が設置されている浴室を例示する平面模式図である。
【図３】使用者が風呂椅子から立ち上がる動作の平面模式図である。
【図４】本実施形態の手摺（把持部）の拡大断面図である。
【図５】本実施形態の指先および中手骨周辺にかかる手摺を把持するための対向する力と、手摺にかかる荷重を表す平面模式図である。
【図６】浴室用手摺の断面形状に対する力の作用点である指先の引っ掛りやすさと、手摺を把持するための対向する力の検討結果の一例を例示する比較表である。
【発明を実施するための形態】
【００３８】
以下、本発明の実施の形態について図面を参照しつつ説明する。なお、各図面中、同様の構成要素には同一の符号を付して詳細な説明は適宜省略する。
【００３９】
図１および図２に表した浴室（ユニットバス）は、浴槽６と洗い場７が隣接して設置されており、正面の壁面２と浴槽側の壁面３と背面の壁面４と洗い場７側の壁面５によって形成される。
【００４０】
本実施形態である浴室用手摺１は略水平に壁面２に固定され、洗い場での立ち座りおよび浴槽６への入出浴行為に使用される。また、浴室用手摺１の正面の洗い場７上には腰掛け用の風呂椅子８が設けられている。
【００４１】
尚、本実施形態では、浴室用手摺１は浴室の壁面２のみに固定されているが、浴室の壁面３と壁面５にも固定するなど、種々の態様で固定することができる。
【００４２】
次に、手摺の把持部である手摺の断面形状について説明する。図４に、本実施形態の浴室用手摺の断面を示す。浴室手摺の断面は、前面９と、上面１０と、背面１１と、底面１２と、前記前面９と上面１０を繋ぐ第１角部１３と、前記上面１０と前記背面１１を繋ぐ第２角部１４と、前記背面１１と前記底面１２を繋ぐ第３角部１５と、前記底面１２と前記前面９を繋ぐ第４角部１６とを有する断面視略四角形状で形成される。
【００４３】
また、略四角形状の角部は手摺を把持した際にいたみがないように、曲面形状となっており、曲率半径は第１角部１３、第２角部１４、第４角部１６と比較して第３角部１５が最も小さい。
【００４４】
また、底面１２は、背面側から前面側に向けて下降傾斜して形成されており、第１角部１３と第３角部１５における底面１２側端部とを結ぶ直線長さが、第１角部１３と底面１２における第３角部１５側端部とを結ぶ直線長さよりも大きく形成することで、立ち上がり動作時に第３角部に指先が引っ掛かるようにした。
【００４５】
図５に示すように、風呂椅子からの立ち上がり動作時に手摺にかかる荷重１７は、身体を前傾させるための引き寄せる力と、身体を上昇させる押し下げる力の合成した荷重である。手摺に荷重１７が加わった際に、手には指先から手首方向に回転する力１８がかかる。
【００４６】
この回転する力１８が加わるため、立ち上がりの動作で手摺が補助動作として有効に作用するためには、回転を防止しなければならず指先と第１角部１３との接触点で互いに対向する力を発揮することで把持力１９を生み出し、手摺から手が滑らないようにしている。
【００４７】
底面１２を下降傾斜とすることで指の第１関節の可動域を考慮すると接触面積を大きくすることができ、かつ自然と指先の発揮する力１９が第１角部方向へと向くため、少ない筋力で把持力は増大することができる。
【００４８】
また、前記第３角部の曲率を小さくし、物理的に引っ掛かりやすい形状としたことで、指先には指先が回転する方向とは逆方向の反力を手摺から受けることになり、より少ない筋の発揮で手摺から手が滑ることを防止することができる。
【００４９】
図６は、浴室用手摺の形状に対する指先の引っかかりの有無と手摺から手が滑らないための手摺把持力の検討結果の一例を例示する比較表である。図６に表した比較表の中の「断面図」には、浴室用手摺の断面の平面模式図と手摺にかかる荷重および指先と第１角部９との対向する力を示す。
【００５０】
図６に表した比較表の中の比較例（１）は、断面形状が円形の手摺を示す。断面形状が円形の手摺は、指先の力の方向は力の作用点が曲面であるため、力の方向がコントロールでき、対向する力は大きいが、指先が物理的に引っかかりにくい形状であるため、手摺から手が滑らないために必要な保持するための力は大きくなる。これにより、大きな把持力が必要であるため、立ち上がり動作の際の筋力の負担は大きくなる。
【００５１】
図６に表した比較表の中の比較例（２）は、断面形状が略四角形の手摺を示す。断面形状が略四角形の手摺は、指先が物理的に引っ掛かりやすい形状となっているため、手摺から手に回転方向とは逆の反力がかかり、手摺から手が滑らないために必要な保持力は小さい。しかし、角部が曲面でないため、手摺と指先の接触する面積が小さく、さらに手摺底面が略水平であり前記角部１方向の力が発生し難いため、把持力は小さい。
【００５２】
図６に表した比較表の中の本実施形態は、指先の引っ掛かり部により、手摺から手が滑らないために必要な力は小さく、第３角部１１が曲面かつ傾斜していることで指先の把持する力１９が第１角部方向へと向くため把持力は大きくなる。
【００５３】
そのため、本実施形態は、手摺から手が滑らないために必要な最低の力は小さく、さらに手摺を把持するための力は大きくなるため、一連の立ち上がり動作中において、負担が少なく安全となる。
【符号の説明】
【００５４】
１：浴室用手摺
２：壁面２
３：壁面３
４：壁面４
５：壁面５
６：浴槽
７：洗い場
８：風呂椅子
９：第１角部
１０：第２角部
１１：第３角部
１２：第４角部
１３：手摺前面
１４：手摺上面
１５：手摺背面
１６：手摺底面
１７：手摺にかかる荷重
１８：指先にかかる回転する力
１９：把持力
２０：手摺の対角長さ
２１：力の作用点長さ
【図１】
2017099515.tif 000003
【図２】
2017099515.tif 000004
【図３】
2017099515.tif 000005
【図４】
2017099515.tif 000006
【図５】
2017099515.tif 000007
【図６】
2017099515.tif 000008